(57)【要約】【課題】読取画像の画質劣化を抑制することができる画像読取装置を提供する。【解決手段】本発明に係る画像読取装置は、原稿を第１の方向に搬送する搬送部と、原稿側の表面における第１の領域にコーティングが設けられた透光部材と、第１の読取位置において透光部材を介して原稿の画像を読み取る読取部と、画像の処理を行うと共に、読取部の移動を制御する制御部とを備え、制御部は、処理において異常が検出された際に、読取部を第１の読取位置から第２の読取位置に移動させ、異常が検出された際における第１の領域のうち第２の読取位置に対応する位置でのコーティングの接触角をθ、第１の領域の各位置におけるコーティングの接触角の最大値及び最小値をそれぞれθmax及びθminとしたとき、  ０．４６≦θ／（θmax＋θmin）≦０．５０なる条件を満たすことを特徴とする。【選択図】図４
2019075601.tif 000002
【特許請求の範囲】
【請求項１】
原稿を第１の方向に搬送する搬送部と、
前記原稿の側の表面における第１の領域にコーティングが設けられた透光部材と、
第１の読取位置において前記透光部材を介して前記原稿の画像を読み取る読取部と、
前記画像の処理を行うと共に、前記読取部の移動を制御する制御部とを備え、
前記制御部は、前記処理において異常が検出された際に、前記読取部を前記第１の読取位置から第２の読取位置に移動させ、
前記異常が検出された際における前記第１の領域のうち前記第２の読取位置に対応する位置での前記コーティングの接触角をθ、前記第１の領域の各位置における前記コーティングの接触角の最大値及び最小値をそれぞれθmax及びθminとしたとき、
０．４６≦θ／（θmax＋θmin）≦０．５０
なる条件を満たすことを特徴とする画像読取装置。
【請求項２】
前記異常は、前記画像の明度が前記表面に平行な面内の前記第１の方向に垂直な方向の所定の位置において、常に所定値以下になることであることを特徴とする請求項１に記載の画像読取装置。
【請求項３】
前記コーティングは、フッ素を含有した有機化合物を含むことを特徴とする請求項１または２に記載の画像読取装置。
【請求項４】
前記コーティングは、他の部材を介さずに前記表面に設けられていることを特徴とする請求項１乃至３のいずれか一項に記載の画像読取装置。
【請求項５】
前記第２の読取位置は、前記第１の読取位置よりも前記原稿の搬送方向の上流側にあることを特徴とする請求項１乃至４のいずれか一項に記載の画像読取装置。
【請求項６】
前記表面において、前記第１の領域よりも前記原稿の搬送方向における上流側に存在する第２の領域に導電性のシート部材が設けられており、
前記シート部材の厚みをｔ1としたとき、
０．１ｍｍ≦ｔ1≦０．６５ｍｍ
なる条件を満たすことを特徴とする請求項１乃至５のいずれか一項に記載の画像読取装置。
【請求項７】
前記搬送部は、前記原稿を前記透光部材上に付勢しながら、前記原稿を搬送する第１の搬送部材を備えており、
前記透光部材と前記第１の搬送部材の前記透光部材に最も近接している部分との間の間隔をｔ2としたとき、前記表面に平行な面内の前記第１の方向に垂直な方向全域にわたって、
０．１ｍｍ≦ｔ2≦０．５ｍｍ
なる条件を満たすことを特徴とする請求項１乃至６のいずれか一項に記載の画像読取装置。
【請求項８】
前記原稿の前記透光部材への入射角をαとしたとき、前記表面に平行な面内の前記第１の方向に垂直な方向全域にわたって、
０°＜α≦３０°
なる条件を満たすことを特徴とする請求項１乃至７のいずれか一項に記載の画像読取装置。
【請求項９】
前記表面において、前記第１の領域よりも前記原稿の搬送方向における上流側に存在する第２の領域に導電性のシート部材が設けられており、
前記搬送部は、前記原稿を前記透光部材上に付勢しながら、前記原稿を搬送する第１の搬送部材を備えており、
前記シート部材の厚みをｔ1、前記透光部材と前記第１の搬送部材の前記透光部材に最も近接している部分との間の間隔をｔ2としたとき、前記表面に平行な面内の前記第１の方向に垂直な方向の少なくとも一部の領域において、
０．１ｍｍ≦ｔ2≦ｔ1
なる条件を満たすことを特徴とする請求項１乃至８のいずれか一項に記載の画像読取装置。
【請求項１０】
請求項１乃至９のいずれか一項に記載の画像読取装置と、前記原稿の画像に基づいて感光面に画像を形成する画像形成部と、を有することを特徴とする画像形成装置。
【発明の詳細な説明】
【技術分野】
【０００１】
本発明は、画像読取装置に関し、特に、複写機、ファクシミリ装置、複合機等の画像形成装置に設けられる、自動原稿搬送装置により搬送される原稿の画像を読み取る画像読取装置に関する。
【背景技術】
【０００２】
従来、画像形成装置に設けられる画像読取装置として、自動原稿搬送装置（以下、ＡＤＦ：Ａｕｔｏ  Ｄｏｃｕｍｅｎｔ  Ｆｅｅｄｅｒと呼ぶ。）を備え、該ＡＤＦによって搬送される原稿の画像を読み取るものがある。
【０００３】
ＡＤＦによって搬送される原稿の画像を読み取る際に、原稿に付着しているポストイットの糊や未硬化の修正液等の付着ゴミがプラテンガラス上に付着し、読み取った画像上にスジ状の画像不良が発生してしまう虞があることが知られている。
【０００４】
特許文献１は、付着ゴミの付着を低減するために、フッ素コーティングが施されたプラテンガラスを備える画像読取装置を開示している。
【先行技術文献】
【特許文献】
【０００５】
【特許文献１】特開２００６−２６５００２号公報
【発明の概要】
【発明が解決しようとする課題】
【０００６】
しかしながら、プラテンガラス上にフッ素コーティングを施した際に、高温高湿の環境ではプラテンガラスとフッ素コーティングとの結合が切れて変質白化（以下、白クモリと呼ぶ）が生じてしまう。フッ素コーティングの表面に白クモリが発生すると、フッ素コーティングの分光透過率が低下して画質劣化に繋がるが、特許文献１ではそのような白クモリの影響は考慮されていない。
そこで、本発明は、読取画像の画質劣化を抑制することができる画像読取装置を提供することを目的とする。
【課題を解決するための手段】
【０００７】
本発明に係る画像読取装置は、原稿を第１の方向に搬送する搬送部と、原稿側の表面における第１の領域にコーティングが設けられた透光部材と、第１の読取位置において透光部材を介して原稿の画像を読み取る読取部と、画像の処理を行うと共に、読取部の移動を制御する制御部とを備え、制御部は、処理において異常が検出された際に、読取部を第１の読取位置から第２の読取位置に移動させ、異常が検出された際における第１の領域のうち第２の読取位置に対応する位置でのコーティングの接触角をθ、第１の領域の各位置におけるコーティングの接触角の最大値及び最小値をそれぞれθmax及びθminとしたとき、
０．４６≦θ／（θmax＋θmin）≦０．５０
なる条件を満たすことを特徴とする。
【発明の効果】
【０００８】
本発明によれば、読取画像の画質劣化を抑制することができる画像読取装置を提供することができる。
【図面の簡単な説明】
【０００９】
【図１】第一実施形態に係る画像読取装置の斜視図及び断面図。
【図２】第１プラテンガラスに設けられているフッ素コーティングを示した図。
【図３】第一実施形態に係る画像読取装置に設けられている第１プラテンガラスの斜視図。
【図４】第一実施形態に係る画像読取装置の第１プラテンガラス近傍における副走査断面図。
【図５】第一実施形態に係る画像読取装置の第１プラテンガラス近傍における副走査断面図。
【図６】画像読取センサの主走査方向の各位置における出力値を示した図。
【図７】第一実施形態に係る画像読取装置の実機テストにおける画像読取動作のフローチャート。
【図８】第一実施形態に係る画像読取装置の第１プラテンガラス近傍における副走査断面図。
【図９】原稿読取範囲内の原稿搬送方向の各位置における接触角の値を示した図。
【図１０】第一実施形態に係る画像読取装置を備えた画像形成装置の模式的正面図。
【発明を実施するための形態】
【００１０】
以下に、本実施形態に係る画像読取装置を、添付の図面に基づいて詳細に説明する。なお、以下に示す図面は、本実施形態を容易に理解できるようにするために、実際とは異なる縮尺で描かれている場合がある。
【００１１】
図１０は、本実施形態に係る画像読取装置１０１を備えた画像形成装置１００の模式的正面図を示している。
なお、以下に示す画像形成装置１００は一例に過ぎず、画像読取装置１０１を備えたファクシミリ装置やインクジェットプリンター、複合機等も、本実施形態に係る画像読取装置を備えた画像形成装置に該当する。
【００１２】
図１０に示されているように、画像形成装置１００は、記録紙に画像を形成するための画像形成部本体（画像形成部）１０２と、画像形成部本体１０２の下部に装着され、記録紙を積載するための給紙カセット１０３とを備えている。また、画像形成装置１００は、画像形成部本体１０２の上部に装着され、原稿の画像を読み取るための画像読取装置１０１を備えている。
画像形成部本体１０２の内部において、ほぼ中央部には不図示の画像形成手段が配置され、その下方には給紙カセット１０３を含む、記録紙を給紙するための不図示の給紙手段が配置されている。
また、画像形成部本体１０２の上方には原稿の画像を読み取るための読取手段としてのＣＣＤ等を備えた画像読取装置１０１が配置されている。
そして、画像読取装置１０１と画像形成部本体１０２との間には空間が設けられ、画像形成部本体１０２によって搬送されて排出された記録紙を積載するための本体排紙部１０４が形成されている。
【００１３】
画像形成部本体１０２においては、画像形成手段として、従来周知の電子写真方式によるプリントエンジンが設けられており、不図示のレーザ書き込み部、感光面を備えた電子写真プロセス部、定着部等が内蔵されている。
また、給紙手段としては、給紙カセット１０３に載置された記録紙を分離給紙するための不図示の給紙ローラ等が内蔵されており、画像形成手段に記録紙を供給している。
【００１４】
図１（ａ）及び（ｂ）はそれぞれ、本実施形態に係る画像読取装置１０１の斜視図及び断面図を示している。
【００１５】
図１（ａ）及び（ｂ）に示されているように、画像読取装置１０１は、自動原稿搬送装置（以下、ＡＤＦ：Ａｕｔｏ  Ｄｏｃｕｍｅｎｔ  Ｆｅｅｄｅｒと呼ぶ。）（搬送部）２０１と、ＡＤＦ２０１の下方に設けられ、ＡＤＦ２０１によって搬送される原稿の一方の原稿面（表面、第１の面）の画像を読み取るためのリーダー２０２とを備えている。
ＡＤＦ２０１は、複数枚の原稿を分離し、リーダー２０２に給紙するものである。ＡＤＦ２０１は、給紙される複数枚の原稿を載置するための原稿トレイ２０４と、原稿トレイ２０４に載置された原稿を１枚ずつ分離給紙して、リーダー２０２に搬送するための原稿搬送手段２０３とを備えている。また、ＡＤＦ２０１は、リーダー２０２によって画像読み取りがなされた後、排紙された原稿を載置するための排紙トレイ２０５を備えている。
【００１６】
図１（ｂ）に示されているように、ＡＤＦ２０１には、原稿搬送手段２０３を構成する部材として、原稿トレイ２０４に載置された複数枚の原稿Ｇを分離給紙するためのピックアップローラ３００及び分離ローラ対３０１とが設けられている。また、ＡＤＦ２０１には、原稿搬送手段２０３を構成する部材として、分離ローラ対３０１によって分離給紙された原稿Ｇを搬送するための複数のローラ対３０２、３０３、３０４、３０５、３０７、３０９及び３１０と、プラテンローラ３０６及び３０８とが設けられている。
具体的には、原稿搬送手段２０３としては、ピックアップローラ３００及び分離ローラ対３０１と、分離ローラ対３０１の下流に設けられ、分離ローラ対３０１から搬送された原稿Ｇを引き抜くための引抜ローラ対３０２とが含まれる。
また、原稿搬送手段２０３としては、引抜ローラ対３０２の下流に設けられ、引抜ローラ対３０２によって搬送された原稿Ｇを下流のローラ対まで搬送するための搬送ローラ対３０３と、搬送ローラ対３０３の下流に設けられ、原稿Ｇの傾きを矯正するためのレジストローラ対３０４とが含まれる。
さらに、原稿搬送手段２０３としては、レジストローラ対３０４の下流に設けられ、原稿Ｇの画像読み取りの安定化のための第１リードローラ対３０５、第１プラテンローラ（第１の搬送部材）３０６、第２リードローラ対３０７、第２プラテンローラ３０８及び第３リードローラ対３０９とが含まれる。
以下に示すように、第１プラテンローラ３０６は、第１画像読取手段３１４が搬送された原稿Ｇの一方の原稿面の画像を読み取る際に、原稿Ｇを第１プラテンガラス３１１上に付勢しながら、第１プラテンガラス３１１に対して所定の間隔を空けて原稿Ｇを搬送する。
また、原稿搬送手段２０３としては、第３リードローラ対３０９の下流に設けられ、画像読み取り後の原稿Ｇを排紙トレイ２０５に排紙するための排紙ローラ対３１０が含まれる。
【００１７】
そして、ＡＤＦ２０１の下方には、リーダー２０２が設けられている。リーダー２０２の内部には、ＡＤＦ２０１によって第１プラテンガラス（第１の透光部材）３１１上に搬送される原稿Ｇの表面画像や、原稿台ガラス３１３上に載置された原稿の画像を読み取るための第１画像読取手段（読取部）３１４が、不図示のレール上を副走査方向Ｔに沿って移動可能に設けられている。
第１画像読取手段３１４は、ＡＤＦ２０１によって搬送される原稿Ｇの表面画像を読み取る（原稿流し読み）際には、第１プラテンローラ３０６の対向側（下方）に設けられた第１プラテンガラス３１１の下方の第１位置Ａに停止して画像読み取りを行う。
一方、原稿台ガラス３１３上に載置された原稿の画像を読み取る（原稿固定読み）際には、第１画像読取手段３１４は、制御部３１６によって制御される不図示のモーターの駆動により第１位置Ａから第２位置Ｂまで副走査方向Ｔに沿って移動走査することによって、原稿台ガラス３１３上の原稿画像の読み取りを行う。
そして、第１画像読取手段３１４によって読み取られた原稿の画像データは、制御部３１６によって処理される。
【００１８】
さらに、ＡＤＦ２０１の内部には、搬送される原稿Ｇの他方の原稿面（裏面、第１の面の反対側の面である第２の面）の画像を読み取るために、第２プラテンローラ３０８の対向側に第２プラテンガラス３１２が設けられている。また、第２プラテンガラス３１２を挟んで、第２プラテンローラ３０８に対向する位置Ｃに第２画像読取手段３１５が設けられている。
これにより、ＡＤＦ２０１によって原稿Ｇを搬送する場合には、第１画像読取手段３１４と第２画像読取手段３１５とによって原稿Ｇの表裏両面の画像を読み取ることができる。
【００１９】
図２は、本実施形態に係る画像読取装置１０１の第１プラテンガラス３１１に設けられているフッ素コーティング４０３を示した図である。
【００２０】
図２に示されているように、第１プラテンガラス３１１では、ガラス基板（基材）３２０の搬送原稿と接する原稿側表面３１１ａ上の搬送方向下流側の第１の領域３１１ｄには、透明なフッ素コーティング（例えば、ケイ素含有パーフルポリエーテル化合物コーティング等のフッ素含有有機化合物コーティング）４０３が設けられている。
このフッ素コーティング４０３によって、第１プラテンガラス３１１の第１の領域３１１ｄへの糊や未硬化の修正液等の付着ゴミの付着を低減することができ、それによるスジ状の画像不良を低減することができる。
そして、第１の領域３１１ｄの搬送方向上流側に存在する第２の領域３１１ｕは、フッ素コーティングが設けられていない非コート領域４０５となっている。
【００２１】
図３は、本実施形態に係る画像読取装置１０１に設けられている第１プラテンガラス３１１の斜視図を示している。
【００２２】
図３に示されているように、第１プラテンガラス３１１の非コート領域４０５には、導電性樹脂シート部材４０１が貼り付けられている。
導電性樹脂シート部材４０１が貼り付けられる第２の領域３１１ｕを非コート領域４０５としたのは、フッ素コーティング４０３上に導電性樹脂シート部材４０１を貼り付けると十分な接着力が得られずに剥がれてしまうためである。
【００２３】
なお、非コート領域４０５としては、フッ素コーティング４０３を設けた後に、コーティング除去加工処理を行うことによって設けても構わない。
すなわち、第１プラテンガラス３１１にフッ素コーティング４０３を真空蒸着によって成膜する際に、マスキングを用いずに、原稿側表面３１１ａ全面にフッ素コーティング４０３を施す。そして、後工程においてサンドブラスト等で非コート領域４０５に対応する第２の領域３１１ｕを加工処理することによって、フッ素コーティング４０３を除去又は、その効果を低減させることによって非コート領域４０５を設けても構わない。
【００２４】
本実施形態に係る画像読取装置１０１では、フッ素コーティング４０３は、ガラス基板３２０に他の部材（中間層）を介さずに、蒸着釜の中で真空蒸着を行うことによって設けられている。
フッ素コーティング４０３は、結合エネルギーがＳｉＯ2以外の金属酸化物に対してはＳｉＯ2と比べて弱い。
そのため、フッ素コーティング４０３は、ＳｉＯ2以外の金属酸化物と結合すると、高温高湿の環境ではフッ素コーティング４０３と金属酸化物との結合が切れて、大きく変質白化（以下、白クモリと呼ぶ）が生じてしまう。
そして、フッ素コーティング４０３の表面に白クモリが発生すると、フッ素コーティング４０３の分光透過率が低下し、画質劣化に繋がることとなる。
一方で、白クモリの発生を低減するために、中間層としてＳｉＯ2を介してフッ素コーティング４０３を設けると、今度はフッ素コーティング４０３の耐擦傷性が低下してしまい、原稿搬送に伴うコーティングの耐久性が悪くなる。
【００２５】
そこで、本実施形態では、フッ素コーティング４０３を中間層を介さず設けることによって、原稿搬送に伴うコーティングの耐久性を維持し、白クモリの発生については、以下の構成で対処している。
【００２６】
図４は、本実施形態に係る画像読取装置１０１の第１プラテンガラス３１１近傍における模式的副走査断面図を示している。
【００２７】
図４に示されているように、第１プラテンガラス３１１には、第１プラテンガラス３１１の原稿側表面３１１ａ上の非コート領域５００に対応する第２の領域３１１ｕの搬送方向上流側の少なくとも一部を含むように、アース手段としてのアルミテープ４０２が貼り付けられている。
そして、アルミテープ４０２の上に不図示の導電性両面テープによって、導電性樹脂シート部材４０１が貼り付けられている。
なお、導電性樹脂シート部材４０１としては、例えば、黒色の超高分子量ポリエチレンシート（日東電工（株）Ｎｏ．４４０黒色）が用いられる。
導電性樹脂シート部材４０１である黒色の超高分子量ポリエチレンシートは、電気抵抗値が５００ｋΩ以下の導電性を有している。
そのため、アルミテープ４０２によって、導電性樹脂シート部材４０１を画像読取装置１０１本体、具体的には、不図示の接地されている板金フレーム等金属部分に電気的に接続することが可能となっている。
【００２８】
これにより、搬送される原稿を導電性樹脂シート部材４０１に接触させることによって、原稿及び原稿に付着している浮遊ゴミを除電することができる。そして、除電された浮遊ゴミは、第１プラテンガラス３１１上に静電吸着されなくなるため、搬送される原稿による第１プラテンガラス３１１上の浮遊ゴミの掻き取り、すなわちセルフクリーニングによって容易に除去することができる。
また、導電性樹脂シート部材４０１が搬送される原稿と摺擦しても、導電性樹脂シート部材４０１が帯電することはない。この帯電防止効果によって、周囲の紙粉や埃等の浮遊ゴミが導電性樹脂シート部材４０１に吸着されることも防止することができる。
【００２９】
以上に述べたような導電性樹脂シート部材４０１の帯電防止及び除電効果によって、紙粉や埃等の浮遊ゴミに起因するスジ状の画像不良を低減させることができる。
【００３０】
また、図４に示されているように、本実施形態に係る画像読取装置１０１では、第１画像読取手段３１４内にある照明装置３１４ａによって原稿Ｇが照明される。
そして、原稿Ｇからの反射光が折り返しミラー３１４ｂ、３１４ｃ、３１４ｄ及び３１４ｅによって反射され、結像光学系３１４ｆによって、画像読取センサ３１４ｇ上に集光され、原稿Ｇの画像データが得られる。
【００３１】
次に本実施形態に係る画像読取装置１０１の構成及びそれによる効果について説明する。
図５は、本実施形態に係る画像読取装置１０１の第１プラテンガラス３１１近傍における模式的副走査断面図を示している。
また、図６（ａ）及び（ｂ）は、画像読取センサ３１４ｇの主走査方向の各位置における出力値（具体的には読取画像の明度に対応する。）を示している。
【００３２】
上記のように、第１画像読取手段３１４は、副走査方向Ｔに移動可能であり、それにより、図５に示されているように、第１画像読取手段３１４の原稿読取位置４０６（搬送方向（第１の方向）における２つの照明装置３１４ａそれぞれの光源間の中点或いは不図示のスリットの中央位置）は、原稿読取可能範囲４０７内で移動可能である。
なお、第１画像読取手段３１４の原稿読取位置４０６は、上記に限らず、第１画像読取手段３１４の内部構成に応じて決定されてもよい。
【００３３】
本実施形態における第１プラテンガラス３１１では、上記のように、フッ素コーティング４０３を中間層を介さずに設けることによって、原稿搬送に伴うコーティングの耐久性が維持されている。
しかしながら、原稿読取位置４０６を初期位置（称呼位置、具体的には、原稿Ｇに垂直な方向において原稿Ｇが第１プラテンガラス３１１に最接近する位置）から移動させないまま、製品の寿命（本実施形態に係る画像読取装置１０１では約１００万枚の原稿の通紙を想定）まで、画像読取を続けることは困難である。
それは、画像読取を複数回行うにつれて、原稿搬送に伴ってフッ素コーティング４０３の表面が削れていき、図５に示されているように、原稿Ｇ上の糊や未硬化の修正液等の付着ゴミ４０８が第１プラテンガラス３１１の表面上に付着するためである。
【００３４】
そのため、原稿読取位置４０６を初期位置から移動させないまま画像読取を続けると、図６（ａ）に示されているように、第１プラテンガラス３１１の表面上に付着した付着ゴミ４０８の影響で、所定の主走査方向位置において画像読取センサ３１４ｇの出力値に関して異常が検出され、読取画像上にスジ状の画像不良が発生してしまう。
なお、ここでいう異常とは、具体的には、例えば、画像読取センサ３１４ｇの出力値（すなわち、読み取った画像の明度）が所定の主走査方向位置において、常に所定値以下になることである。
また、これに限らず、読み取った原稿画像の端部近傍（マージン領域）での画像読取センサ３１４ｇの出力値が所定の主走査方向位置において、所定値以下になることを検出してもよい。
【００３５】
そこで、本実施形態に係る画像読取装置１０１では、以下に示すように、画像読取センサ３１４ｇの出力に関して異常が検出された際には、原稿読取位置４０６を原稿搬送方向の上流側に移動させるように、第１画像読取手段３１４を副走査方向Ｔに制御部３１６が移動させる。
新たな原稿読取位置４０６に対応する第１プラテンガラス３１１の表面上のフッ素コーティング４０３は削られていないため、付着ゴミ４０８は付着していない。
従って、新たな原稿読取位置４０６では、画像読取センサ３１４ｇの出力値は、図６（ｂ）に示されているように、異常値を示さず、読取画像上にスジ状の画像不良は発生しない。
【００３６】
次に、本実施形態に係る画像読取装置１０１における第１画像読取手段３１４の原稿読取位置４０６の移動動作について説明する。
本実施形態に係る画像読取装置１０１では、予め実機テストを行い、そのテスト結果に基づいて決定された制御用データを不図示の記憶部に記憶させておく。
【００３７】
図７は、本実施形態に係る画像読取装置１０１の実機テストにおける画像読取動作のフローチャートを示している。
【００３８】
図７に示されているように、本実施形態に係る画像読取装置１０１では、実機テストにおいて、画像読取動作を開始すると（Ｓ１）、まず画像読取を行う（Ｓ２）。
そして、制御部３１６が画像読取センサ３１４ｇの出力値から異常値を検出すると（Ｓ３のＹｅｓ）、エラー表示を行う（Ｓ４）。そして、制御部３１６が第１画像読取手段３１４の原稿読取位置４０６を新たな位置に移動させ（Ｓ５）、画像読取動作を終了する（Ｓ７）。
もし、制御部３１６が画像読取センサ３１４ｇの出力値から異常値を検出しない場合には（Ｓ３のＮｏ）、読み取られた画像データを取得し（Ｓ６）、画像読取動作を終了する（Ｓ７）。
【００３９】
本実施形態に係る画像読取装置１０１において、そのような実機テストを行うと、例えば以下の表１のようなテスト結果が得られる。
【００４０】
【表１】
2019075601.tif 000003
【００４１】
実機テストにおいて、原稿を６０万枚通紙すると、画像読取センサ３１４ｇの出力値から異常値が検出される。そして、称呼位置である０ｍｍの位置から−１ｍｍだけ、すなわち原稿搬送方向の上流側に１ｍｍだけ、原稿読取位置４０６を移動するように、制御部３１６が第１画像読取手段３１４を移動させる。
そして、原稿を９０万枚通紙すると、画像読取センサ３１４ｇの出力値から異常値がまた検出される。そして、現在の−１ｍｍの位置から−１ｍｍだけ、すなわち称呼位置である０ｍｍの位置から原稿搬送方向の上流側に２ｍｍだけ、原稿読取位置４０６を移動するように、制御部３１６が第１画像読取手段３１４を移動させる。
【００４２】
なお、移動する位置として−１ｍｍ及び−２ｍｍだけ原稿搬送方向の上流側の位置を選んだ理由は、以下の接触角から検討した結果によるものである。
【００４３】
図８は、本実施形態に係る画像読取装置１０１の第１プラテンガラス３１１近傍における模式的副走査断面図を示している。
画像形成装置１００は、常温常湿の環境で使用されるとは限られず、高温高湿の環境で使用されることも考えられる。
高温高湿の環境では、図８に示されているように、フッ素コーティング４０３の表面上に白クモリ４１０が発生する。
原稿読取可能範囲４０７内では、搬送される原稿Ｇの接触圧によって、フッ素コーティング４０３の表面上に発生した白クモリ４１０を拭取ることができるため、高温高湿の環境においても、白クモリの影響無く、画像読取を行うことができる。
【００４４】
一方で、上記のように、画像読取を複数回行うにつれて、原稿搬送に伴ってフッ素コーティング４０３の表面が削れていき、フッ素コーティング４０３の接触角が小さくなっていく。それにより、原稿Ｇ上の糊や未硬化の修正液等の付着ゴミ４０８が第１プラテンガラス３１１の表面上に付着するようになる。
【００４５】
そこで、適切な接触圧及び接触角を得るために、本実施形態に係る画像読取装置１０１は、所定の通紙を行った際における第１プラテンガラス３１１の原稿側の表面上に設けられているフッ素コーティング４０３の原稿読取位置４０６に対応する位置の接触角θについて、以下の条件式（１）を満たしている。
０．４６≦θ／（θmax＋θmin）≦０．５０  ・・・（１）
ここで、θmax及びθminはそれぞれ、該所定の通紙を行った際における第１プラテンガラス３１１の原稿側の表面上に設けられているフッ素コーティング４０３の各位置における接触角θの最大値及び最小値である。
【００４６】
もし、条件式（１）の下限を下回ると、搬送される原稿と第１プラテンガラス３１１との間の接触圧が強くなり過ぎ、フッ素コーティング４０３の表面が過剰に削れてしまい、付着ゴミ４０８が付着しやすくなってしまう。
一方、条件式（１）の上限を上回ると、搬送される原稿と第１プラテンガラス３１１との間の接触圧が弱くなり過ぎ、フッ素コーティング４０３の表面に白クモリが発生した場合に、搬送される原稿Ｇによって拭取れなくなってしまう。
従って、条件式（１）を満たすように、原稿読取位置４０６を移動できる範囲、すなわち、原稿読取可能範囲４０７を決定すればよい。
【００４７】
図９は、原稿読取可能範囲４０７内の原稿搬送方向の各位置における接触角の値を示している。
なお、図９では、称呼位置、すなわち、原稿Ｇに垂直な方向において原稿Ｇが第１プラテンガラス３１１に最接近する位置を０ｍｍとしている。
【００４８】
図９に示されているように、通紙枚数が多くなるほど、称呼位置にある原稿読取位置４０６（０ｍｍ、第１の読取位置）近傍では、搬送される原稿と第１プラテンガラス３１１との間の接触圧が強いために、第１プラテンガラス３１１の表面上のフッ素コーティング４０３が削れていき、接触角θが小さくなっていく。
そして、通紙が６０万枚に至ると、原稿読取位置４０６（０ｍｍ）近傍におけるθ／（θmax＋θmin）が条件式（１）の下限である０．４６より小さくなり、付着ゴミ４０８が付着してしまう。
そのため、原稿読取位置４０６を移動させる必要があるが、θ／（θmax＋θmin）が条件式（１）の上限である０．５０を超えてしまうと、今度は、搬送される原稿と第１プラテンガラス３１１との間の接触圧が弱くなり過ぎる。そのため、フッ素コーティング４０３の表面に白クモリが発生した場合に、搬送される原稿Ｇによって拭取れなくなってしまう。
そこで、条件式（１）を満たすように、原稿読取位置４０６が−１ｍｍの位置（第２の読取位置）、すなわち原稿搬送方向の上流側に１ｍｍだけ原稿読取位置４０６を移動するように、制御部３１６が第１画像読取手段３１４を移動させる。
次に、通紙が９０万枚に至ると、原稿読取位置４０６（−１ｍｍ）近傍におけるθ／（θmax＋θmin）も条件式（１）の下限である０．４６より小さくなってしまう。
そこで、条件式（１）を満たすように、原稿読取位置４０６が−２ｍｍの位置、すなわち原稿搬送方向の上流側にさらに１ｍｍだけ原稿読取位置４０６を移動するように、制御部３１６が第１画像読取手段３１４を移動させる。
【００４９】
なお、図９に示されているように、θ／（θmax＋θmin）の位置依存性は非対称であり、マイナス側、すなわち、原稿搬送方向の上流側の方がθ／（θmax＋θmin）の変化は緩やかである。
そのため、本実施形態に係る画像読取装置１０１では、原稿搬送方向の上流側に原稿読取位置４０６を移動するように、第１画像読取手段３１４を移動させている。
【００５０】
また、本実施形態に係る画像読取装置１０１は、導電性樹脂シート部材４０１の厚みｔ1に関して、主走査方向（第１プラテンガラス３１１の長手方向、第１プラテンガラス３１１の表面に平行な面内の原稿搬送方向に垂直な方向）全域にわたって、以下の条件式（２）を満たしている。
０．１ｍｍ≦ｔ1≦０．６５ｍｍ  ・・・（２）
【００５１】
もし、厚みｔ1が条件式（２）の下限を下回ると、搬送される原稿と第１プラテンガラス３１１との間の接触圧が強くなり過ぎ、フッ素コーティング４０３の表面が過剰に削れてしまい、付着ゴミ４０８が付着しやすくなってしまう。
一方、厚みｔ1が条件式（２）の上限を上回ると、搬送される原稿と第１プラテンガラス３１１との間の接触圧が弱くなり過ぎ、フッ素コーティング４０３の表面に白クモリが発生した場合に、搬送される原稿Ｇによって拭取れなくなってしまう。
従って、条件式（２）を満たすように、導電性樹脂シート部材４０１の厚みｔ1を決定すればよい。
【００５２】
また、本実施形態に係る画像読取装置１０１は、第１プラテンガラス３１１と第１プラテンローラ３０６の第１プラテンガラス３１１に最も近接している部分との間の間隔ｔ2に関して、主走査方向全域にわたって、以下の条件式（３）を満たしている。
０．１ｍｍ≦ｔ2≦０．５ｍｍ  ・・・（３）
【００５３】
もし、間隔ｔ2が条件式（３）の下限を下回ると、搬送される原稿と第１プラテンガラス３１１との間の接触圧が強くなり過ぎ、フッ素コーティング４０３の表面が過剰に削れてしまい、付着ゴミ４０８が付着しやすくなってしまう。
一方、間隔ｔ2が条件式（３）の上限を上回ると、搬送される原稿と第１プラテンガラス３１１との間の接触圧が弱くなり過ぎ、フッ素コーティング４０３の表面に白クモリが発生した場合に、搬送される原稿Ｇによって拭取れなくなってしまう。
従って、条件式（３）を満たすように、第１プラテンガラス３１１と第１プラテンローラ３０６の第１プラテンガラス３１１に最も近接している部分との間の間隔ｔ2を決定すればよい。
【００５４】
また、本実施形態に係る画像読取装置１０１は、搬送された原稿Ｇの原稿面の下流側部分が第１プラテンガラス３１１の表面に対してなす角度（原稿Ｇの第１プラテンガラス３１１への入射角）αに関して、主走査方向全域にわたって、以下の条件式（４）を満たしている。
０°＜α≦３０°  ・・・（４）
【００５５】
もし、角度αが条件式（４）の上限を上回ると、搬送される原稿と第１プラテンガラス３１１との間の接触圧が弱くなり過ぎ、フッ素コーティング４０３の表面に白クモリが発生した場合に、搬送される原稿Ｇによって拭取れなくなってしまう。
従って、条件式（４）を満たすように、搬送された原稿Ｇの原稿面の下流側部分が第１プラテンガラス３１１の表面に対してなす角度αを決定すればよい。
【００５６】
また、本実施形態に係る画像読取装置１０１は、導電性樹脂シート部材４０１の厚みｔ1及び第１プラテンガラス３１１と第１プラテンローラ３０６の第１プラテンガラス３１１に最も近接している部分との間の間隔ｔ2に関して、主走査方向の少なくとも一部の領域において、以下の条件式（５）を満たしている。
０．１ｍｍ≦ｔ2≦ｔ1  ・・・（５）
【００５７】
もし、間隔ｔ2が条件式（５）の下限を下回ると、搬送される原稿と第１プラテンガラス３１１との間の接触圧が強くなり過ぎ、フッ素コーティング４０３の表面が過剰に削れてしまい、付着ゴミ４０８が付着しやすくなってしまう。
一方、間隔ｔ2が条件式（５）の上限を上回ると、搬送される原稿と第１プラテンガラス３１１との間の接触圧が弱くなり過ぎ、フッ素コーティング４０３の表面に白クモリが発生した場合に、搬送される原稿Ｇによって拭取れなくなってしまう。
従って、条件式（５）を満たすように、導電性樹脂シート部材４０１の厚みｔ1及び第１プラテンガラス３１１と第１プラテンローラ３０６の第１プラテンガラス３１１に最も近接している部分との間の間隔ｔ2を決定すればよい。
【００５８】
以上、好ましい実施形態について説明したが、上記の実施形態に限定されず、その要旨の範囲内で種々の変形及び変更が可能である。
【００５９】
例えば、第一実施形態に係る画像読取装置１０１では、実機テストから上記の動作を決定したが、シミュレーションを行うことによって決定しても構わない。
また、上記の実機テストの結果に関する数値は、あくまで例示的なものであり、実機テストの結果に応じて、原稿読取位置の変更量及び変更回数を増減させても構わない。
【符号の説明】
【００６０】
１０１  画像読取装置
２０１  自動原稿搬送装置（搬送部）
３１１  第１プラテンガラス（透光部材）
３１４  第１画像読取手段（読取部）
３１６  制御部
Ｇ  原稿
【図１】
2019075601.tif 000004
【図２】
2019075601.tif 000005
【図３】
2019075601.tif 000006
【図４】
2019075601.tif 000007
【図５】
2019075601.tif 000008
【図６】
2019075601.tif 000009
【図７】
2019075601.tif 000010
【図８】
2019075601.tif 000011
【図９】
2019075601.tif 000012
【図１０】
2019075601.tif 000013